(57)【要約】【課題】意図しない電源遮断を招くことなく暗証番号の入力画面を表示し続ける事態を回避し得るテレビを提供する。【解決手段】放送信号を受信する受信部と、受信部を制御して選局されたチャンネルの放送信号を受信させると共に放送信号に基づく番組を表示部に表示させる制御部とを備え、制御部は、番組が視聴制限番組のときに（ステップ３２）、視聴制限番組の表示制限を解除する暗証番号の入力画面を表示部に表示させると共に（ステップ３３）、規定時間内に暗証番号の入力操作が実行されなかったときに（ステップ３８）、受信部を制御して他のチャンネルの放送信号を受信させるチャンネル切り換え処理を実行する（ステップ４０）。【選択図】図２
2006313963.tif 000002
【特許請求の範囲】
【請求項１】
放送信号を受信する受信部と、当該受信部を制御して選局されたチャンネルの前記放送信号を受信させると共に当該放送信号に基づく番組を表示部に表示させる制御部とを備え、
前記制御部は、前記番組が視聴制限番組のときに当該視聴制限番組の表示制限を解除する暗証番号の入力画面を前記表示部に表示させると共に、規定時間内に前記暗証番号の入力操作が実行されなかったときに前記受信部を制御して他のチャンネルの放送信号を受信させるチャンネル切り換え処理を実行するテレビ。
【請求項２】
各チャンネルの選局優先順序を特定するための順序情報を記憶する記憶部を備え、
前記制御部は、前記チャンネル切り換え処理時において、前記記憶部に記憶されている前記順序情報に基づいて前記受信部に前記放送信号を受信させるチャンネルを決定する請求項１記載のテレビ。
【発明の詳細な説明】
【技術分野】
【０００１】
本発明は、視聴制限番組の表示を制限するテレビに関するものである。
【背景技術】
【０００２】
例えば、登録実用新案公報第３０５７６２４号には、視聴制限番組の表示開始に際して制限解除用の暗証番号が規定時間（所定期間）内に入力されなかったときに電源が遮断される映像信号装置が開示されている。この映像信号装置では、制御部（ランク判定手段）が映像信号（放送信号）から抽出された視聴制限データと、ランク記憶部に記憶されているランクデータとを照合して、その映像信号に対応する番組が視聴制限番組であるか否かを判別する。この際に、視聴制限番組と判別したときには、制御部は、制限解除用の暗証番号の入力を促すメッセージをＣＲＴ（表示部）に表示させる。次いで、制御部は、規定時間内にチャンネル操作キーが操作されたか否か（暗証番号が入力されたか否か）を判別し、チャンネル操作キーが操作されることなく規定時間を経過したときには、電源回路を制御して電源の供給を停止させる（待機状態に移行する）。これにより、上記のメッセージが表示されたまま放置されることに起因して電力が浪費される事態が回避される。
【特許文献１】登録実用新案公報第３０５７６２４号（第８−１７頁）
【発明の開示】
【発明が解決しようとする課題】
【０００３】
ところが、従来の映像信号装置には、以下の問題点がある。すなわち、この映像信号装置では、暗証番号の入力を促すメッセージを表示させた後に規定時間内にチャンネル操作キーが操作されなかったとき（暗証番号が入力されなかったとき）に制御部が電源回路を制御して電源の供給を停止させる構成が採用されている。この場合、例えば利用者の電話中に視聴制限番組の放送が開始されたときには、暗証番号を直ちに入力することができずに規定時間を経過して利用者の意図に反して電源が遮断される事態が生じる。この際に、表示部が例えばプロジェクターを備えて構成されているときには、プロジェクターの電源遮断処理および再起動処理に長時間を要するため、テレビ番組を再び視聴可能な状態となるまでに長時間を要することとなる。したがって、従来の映像信号装置には、利用者の意図に反して電源が遮断されることに起因して視聴を所望する番組の冒頭部分を見逃すおそれがあるという問題点が存在する。一方、意図しない電源遮断を回避するために上記の規定時間を十分に長く規定した場合には、暗証番号の入力画面が表示部に表示され続けることに起因して画面の焼き付きを招くおそれがある。
【０００４】
本発明は、かかる問題点に鑑みてなされたものであり、意図しない電源遮断を招くことなく暗証番号の入力画面を表示し続ける事態を回避し得るテレビを提供することを主目的とする。
【課題を解決するための手段】
【０００５】
上記目的を達成すべく本発明に係るテレビは、放送信号を受信する受信部と、当該受信部を制御して選局されたチャンネルの前記放送信号を受信させると共に当該放送信号に基づく番組を表示部に表示させる制御部とを備え、前記制御部は、前記番組が視聴制限番組のときに当該視聴制限番組の表示制限を解除する暗証番号の入力画面を前記表示部に表示させると共に、規定時間内に前記暗証番号の入力操作が実行されなかったときに前記受信部を制御して他のチャンネルの放送信号を受信させるチャンネル切り換え処理を実行する。
【０００６】
このテレビでは、番組が視聴制限番組のときに制御部が視聴制限番組の表示制限を解除する暗証番号の入力画面を表示部に表示させると共に、規定時間内に暗証番号の入力操作が実行されなかったときに受信部を制御して他のチャンネルの放送信号を受信させるチャンネル切り換え処理を実行する。したがって、このテレビによれば、規定時間内に暗証番号が入力されなかったときに電源が遮断される従来の映像信号装置とは異なり、利用者の意図に反して電源が遮断されることなく、他のチャンネルの番組を表示部に表示させることができる。したがって、このテレビによれば、電源遮断処理および再起動処理にある程度の時間を要するプロジェクターを備えて表示部を構成したとしても、視聴者に対して、所望の番組の冒頭部分を見逃すことなく視聴させることができる。また、暗証番号の入力画面を長時間に亘って表示し続けることに起因して画面に焼き付きが生じる事態を回避することができる。
【０００７】
また、本発明に係るテレビは、上記のテレビにおいて、各チャンネルの選局優先順序を特定するための順序情報を記憶する記憶部を備え、前記制御部は、前記チャンネル切り換え処理時において、前記記憶部に記憶されている前記順序情報に基づいて前記受信部に前記放送信号を受信させるチャンネルを決定する。
【０００８】
このテレビでは、チャンネル切り換え処理時において記憶部に記憶されている順序情報に基づいて制御部が受信部に放送信号を受信させるチャンネルを決定する。したがって、このテレビによれば、例えば視聴制限レベルが低い番組が放送されるチャンネルの優先順位を高くしておくことで、視聴制限レベルが低い番組が表示されるまで本発明におけるチャンネル切り換え処理、および視聴制限レベルが低いか否かの判別処理が繰り返される事態を回避して、視聴制限されていない番組（視聴制限レベルが低い番組）を短時間で表示させることができる。
【発明を実施するための最良の形態】
【０００９】
以下、本発明に係るテレビの最良の形態について、添付図面を参照して説明する。図１に示すテレビ１は、放送信号に基づくテレビ番組（テレビ画面）を表示可能に構成されたリアプロジェクション型のテレビであって、番組に付加されている視聴制限情報に基づいて所定の番組の表示を制限可能に構成されている。このテレビ１は、本体部２とリモコン３とを備えて構成されている。この場合、リモコン３は、テレビ１専用のコントローラであって、チャンネル切り替えスイッチ、音量調整スイッチおよび電源スイッチなどの各種操作スイッチ（図示せず）が配列されてスイッチ操作に応じて操作信号（一例として赤外線信号）を出力する。一方、本体部２は、選局処理部１１、記憶部１２、チューナ１３、映像音声処理部１４、音声信号出力部１５、スピーカ１６、映像信号出力部１７、表示部１８、本体操作部１９、受信部２０、スイッチ操作処理部２１、制御部２２、タイマー２３および記憶部２４を備えている。
【００１０】
選局処理部１１は、制御部２２と相俟って本発明における制御部を構成し、制御部２２から出力される制御信号Ｓｃに従ってチューナ１３を制御することにより、利用者によって選局されたチャンネルの放送信号をチューナ１３に受信させる。記憶部１２は、電源遮断時に表示しているチャンネルや、制御部２２によって指定されたチャンネルについてのチャンネル情報（次回の電源投入時に表示すべきチャンネルについての情報）を記憶する。チューナ１３は、本発明における受信部に相当し、選局処理部１１の制御に従い、指定されたチャンネルの放送信号を図外のアンテナで受信して映像音声処理部１４に出力する。また、チューナ１３は、放送信号に含まれているレイティング情報Ｄｒ（視聴制限情報）を抽出して制御部２２に出力する。映像音声処理部１４は、一例としてＩＦ回路、音声検波回路、映像検波回路およびＡ／Ｄ変換部（いずれも図示せず）などを備え、チューナ１３から出力された放送信号に基づく音声信号および映像信号を音声信号出力部１５および映像信号出力部１７に出力する。
【００１１】
音声信号出力部１５は、映像音声処理部１４から出力された音声信号を増幅してスピーカ１６に出力する。スピーカ１６は、音声信号出力部１５から出力された音声信号の信号レベルに応じた音量で音声を出力する。映像信号出力部１７は、映像音声処理部１４から出力された映像信号に対する映像処理を実行して表示用信号を生成して、表示部１８に出力する。表示部１８は、光学エンジンおよびスクリーンパネル等（図示せず）を備え、映像信号出力部１７から出力された表示用信号に基づく各種画像（図４に示すテレビ画面Ｐｔなど）を表示する。具体的には、表示部１８は、出力された表示用信号に基づいて光変調した投射光をスクリーンパネルに背面側から投射することで各種画像をスクリーンパネルに表示する。この場合、上記の光学エンジンは、例えば、光源と、光変調素子（一例として、デジタルマイクロミラーデバイスや液晶ライトバルブ）と、投射レンズ（いずれも図示せず）とを備えて構成されている。
【００１２】
本体操作部１９は、上記のリモコン３と同様にして、チャンネル切り替えスイッチ、音量調整スイッチおよび電源スイッチなどの各種操作スイッチ（図示せず）が配列されてスイッチ操作に応じて操作信号を出力する。受信部２０は、上記のリモコン３等から出力される操作信号（赤外線信号）を受信してスイッチ操作処理部２１に出力する。スイッチ操作処理部２１は、リモコン３からの操作信号の出力や本体操作部１９からの操作信号の出力を監視し、出力された操作信号に対応する操作内容を制御部２２に報知する。制御部２２は、選局処理部１１を介してチューナ１３を制御することにより、利用者によって選局されたチャンネルの放送信号をチューナ１３に受信させる。また、制御部２２は、後述する視聴制限時表示処理３０（図２参照）を実行して、チューナ１３から出力されるレイティング情報Ｄｒに基づき、チューナ１３が放送信号を受信しているテレビ番組がこのテレビ１において表示を制限すべき視聴制限番組であるか否かを判別する。また、制御部２２は、視聴制限番組と判別したときには、所定条件が満たされた時点で、選局処理部１１を介してチューナ１３を制御して他のチャンネルのテレビ番組についての放送信号を受信させる。
【００１３】
タイマー２３は、制御部２２の制御に従って計時（本発明における「規定時間」のカウント：一例として１０秒）を開始し、規定時間を経過した時点において制御部２２にタイマー信号Ｓｔを出力する。記憶部２４は、利用者によってこのテレビ１に対して設定された視聴制限レベルや視聴制限番組の表示制限を解除するための暗証番号についての設定情報Ｄｓ、および切り換えチャンネルテーブルＤｔなどを記憶する。この場合、切り換えチャンネルテーブルＤｔは、本発明における順序情報に相当し、制御部２２が視聴制限時表示処理３０において切り換えるチャンネルの優先順序情報（いずれのチャンネルを優先して選択すべきかを特定するための情報）を含んで構成されている。この切り換えチャンネルテーブルＤｔにおける各チャンネルの優先順位については、利用者が任意に設定することができる。
【００１４】
次に、テレビ１の全体的な動作について、図面を参照して説明する。このテレビ１では、リモコン３または本体操作部１９の電源スイッチが操作された際に、チューナ１３が選局処理部１１の制御に従って直前の電源遮断時に選局されていたチャンネル（記憶部１２に記憶されているチャンネル情報に対応するチャンネル）の放送信号を受信して映像音声処理部１４に出力する。この際に、チューナ１３は、放送信号に含まれているレイティング情報Ｄｒを抽出して制御部２２に出力する。一方、映像音声処理部１４は、チューナ１３から出力された放送信号に基づく音声信号を音声信号出力部１５に出力すると共に映像信号を映像信号出力部１７に出力する。この際に、音声信号出力部１５は、映像音声処理部１４から出力された音声信号を所定の音量となるように増幅してスピーカ１６に出力する。また、映像信号出力部１７は、映像音声処理部１４から出力された映像信号に基づいて生成した表示用信号を表示部１８に出力する。これにより、テレビ画面が表示部１８のスクリーンパネルに表示されると共に、テレビ画面に対応する音声が所定の音量でスピーカ１６から出力される。
【００１５】
この場合、このテレビ１では、所定の視聴制限レベル以上のときに表示を制限するように設定された状態において（視聴制限モード下において）テレビ番組を表示させるときに、制御部２２が、図２に示す視聴制限時表示処理３０を開始する。この視聴制限時表示処理３０では、制御部２２は、チューナ１３から出力されたレイティング情報Ｄｒに基づき、表示中のテレビ番組に対して設定されている視聴制限レベルに変化が生じたか否か、つまりレイティング情報Ｄｒに基づいて特定される視聴制限レベルに変化が生じたか否かを監視する（ステップ３１）。この際に、例えば、利用者がチャンネル切り換え操作を行い、切り換え操作以前に視聴していたテレビ番組とは視聴制限レベルが相違するテレビ番組のチャンネルを選局したときには、チューナ１３から出力されるレイティング情報Ｄｒに変化が生じる。この際には、制御部２２は、記憶部２４に記憶されている設定情報Ｄｓ（テレビ１に対して設定された視聴制限レベル）とレイティング情報Ｄｒとに基づき、選局されたチャンネルのテレビ番組に対して設定されている視聴制限レベルがテレビ１に対して設定されている視聴制限レベル（設定レベル）以上であるか否かを判別する（ステップ３２）。
【００１６】
この際に、設定レベル以上と判別したときには、制御部２２は、映像信号出力部１７を制御して、図３に示す視聴制限画面Ｐｒを表示部１８に表示させると共に、タイマー２３を制御して規定時間の計時を開始させる（ステップ３３）。この場合、視聴制限画面Ｐｒは、本発明における暗証番号の入力画面に相当し、一例として、「この番組は視聴制限されています。視聴するには暗証番号を入力して下さい。」とのメッセージと、４桁の暗証番号を入力する暗証番号入力領域とを含んで構成されている。
【００１７】
この際に、利用者が視聴制限番組の視聴を所望せずに、リモコン３や本体操作部１９のチャンネル切り換えスイッチを操作して他のチャンネルを選局したときには、制御部２２は、チャンネル切り換え操作有りと判別して（ステップ３４）、タイマー２３を停止させると共に、選局処理部１１を介してチューナ１３を制御して、利用者によって選局されたチャンネルの放送信号を受信させる（ステップ３５）。次いで、制御部２２は、ステップ３１に戻り、チャンネル切り換え以前に視聴していたテレビ番組に対して設定されている視聴制限レベルと、新たに選局されたチャンネルのテレビ番組に対して設定されている視聴制限レベルとが同一であるか否かを判別する。この際に、両テレビ番組に対して設定されている視聴制限レベルが相違すると判別したときには、制御部２２は、ステップ３２に進んで視聴制限レベルの比較を実施する。
【００１８】
一方、表示部１８に視聴制限画面Ｐｒを表示させた後に、利用者が視聴制限番組の視聴を所望して暗証番号を入力したときには、制御部２２は、暗証番号の入力有りと判別して（ステップ３６）、タイマー２３を停止させると共に、視聴制限番組の表示制限を解除する（ステップ３７）。この際には、チューナ１３によって受信されている放送信号（視聴制限番組についての放送信号）に対応するテレビ画面（図示せず）が表示部１８に表示されると共に、そのテレビ画面に対応する音声がスピーカ１６から出力される。次いで、制御部２２は、ステップ３１に戻り、レイティング情報Ｄｒの変化を監視する。
【００１９】
また、上記のステップ３３において表示部１８に視聴制限画面Ｐｒを表示させた後に、利用者によるチャンネル切り換え操作、および暗証番号の入力のいずれも実行されずに規定時間の１０秒を経過したときには、制御部２２は、タイマー２３からのタイマー信号Ｓｔに基づき、規定時間を経過したと判別して（ステップ３８）、タイマー２３を制御して計時を停止させる（ステップ３９）。次いで、制御部２２は、切り換えチャンネルテーブルＤｔに基づき、チャンネル切り換え候補として最も優先順位が高いチャンネルを特定すると共に、選局処理部１１を介してチューナ１３を制御して、特定したチャンネルの放送信号を受信させる（本発明におけるチャンネル切り換え処理：ステップ４０）。この際には、チューナ１３からチャンネル切り換え後の放送信号に含まれているレイティング情報Ｄｒが出力される。次いで、制御部２２は、チューナ１３から出力されたレイティング情報Ｄｒと記憶部２４に記憶されている設定情報Ｄｓとに基づき、ステップ４０において切り換えたチャンネルのテレビ番組に対して設定されている視聴制限レベルがテレビ１に対して設定されている視聴制限レベル（設定レベル）以上であるか否かを判別する（ステップ４１）。
【００２０】
この際に、設定レベル以上と判別したときには、制御部２２は、ステップ４０に戻り、切り換えチャンネルテーブルＤｔに基づいて次に優先順位が高いチャンネルを特定すると共に、チューナ１３を制御して、特定したチャンネルの放送信号を受信させる。一方、ステップ４１において、切り換えたチャンネルのテレビ番組が設定レベルを下回っていると判別したときには、制御部２２は、映像信号出力部１７を制御して、視聴制限画面Ｐｒの表示を終了させると共に、図４に示すように、テレビ画面Ｐｔを表示部１８に表示させる（ステップ４２）。なお、同図では、白抜きの「Ｃｈ５」の文字列によってチャンネル５のテレビ画面Ｐｔを概念的に図示している。この後、制御部２２は、ステップ３１に戻ってレイティング情報の変化を監視する。
【００２１】
このように、このテレビ１によれば、番組が視聴制限番組のときに制御部２２が映像信号出力部１７を制御して視聴制限番組の表示制限を解除する暗証番号の入力画面を表示部１８に表示させると共に、規定時間内（この例では、１０秒以内）に暗証番号の入力操作が実行されなかったときに選局処理部１１を介してチューナ１３を制御して他のチャンネルの放送信号を受信させるチャンネル切り換え処理を実行することにより、規定時間内に暗証番号が入力されなかったときに電源が遮断される従来の映像信号装置とは異なり、利用者の意図に反して電源が遮断されることなく、他のチャンネルのテレビ画面Ｐｔを表示部１８に表示させることができる。したがって、このテレビ１によれば、電源遮断処理および再起動処理にある程度の時間を要するプロジェクターを備えて表示部１８を構成したとしても、視聴者に対して、所望の番組の冒頭部分を見逃すことなく視聴させることができる。また、視聴制限画面Ｐｒを長時間に亘って表示し続けることに起因して画面に焼き付きが生じる事態を回避することができる。
【００２２】
また、このテレビ１によれば、チャンネル切り換え処理時において記憶部２４に記憶されている切り換えチャンネルテーブルＤｔ（順序情報）に基づいて制御部２２がチューナ１３に放送信号を受信させるチャンネルを決定することにより、例えば視聴制限レベルが低いテレビ番組が放送されるチャンネルの優先順位を高くしておくことで、視聴制限レベルが低いテレビ番組が表示されるまで本発明におけるチャンネル切り換え処理、および視聴制限レベルが低いか否かの判別処理（上記の視聴制限時表示処理３０におけるステップ４０，４１）が繰り返される事態を回避して、視聴制限されていない番組（視聴制限レベルが低いテレビ番組）を短時間で表示させることができる。
【００２３】
なお、本発明は、上記の構成に限定されない。例えば、リアプロジェクション型のテレビについて上記したが、液晶表示器、プラズマ表示器、有機ＥＬ表示器およびＣＲＴ等の各種表示器を備えたテレビに本発明を適用することができる。この場合、本発明におけるテレビとしては、表示器とチューナとが別体に構成された各種テレビが含まれる。また、モニター（チューナを備えていない表示装置）に本発明を適用することもできる。さらに、各種の受信機（例えば、ＢＳデジタル放送、１１０度ＣＳデジタル放送および地上デジタル放送等の放送信号を受信可能なデジタルチューナ）や、記録再生装置に本発明を適用することもできる。
【図面の簡単な説明】
【００２４】
【図１】テレビ１の構成を示す構成図である。
【図２】視聴制限時表示処理３０のフローチャートである。
【図３】視聴制限画面Ｐｒの表示画面図である。
【図４】テレビ画面Ｐｔの表示画面図である。
【符号の説明】
【００２５】
１  テレビ、１１  選局処理部、１３  チューナ、１８  表示部、２２  制御部、２３  タイマー、２４  記憶部、３０  視聴制限時表示処理、Ｄｒ  レイティング情報、Ｄｓ  設定情報、Ｄｔ  切り換えチャンネルテーブル、Ｓｃ  制御信号、Ｓｔ  タイマー信号、Ｐｒ  視聴制限画面、Ｐｔ  テレビ画面
【図１】
2006313963.tif 000003
【図２】
2006313963.tif 000004
【図３】
2006313963.tif 000005
【図４】
2006313963.tif 000006